(57)【要約】      （修正有）【課題】組立容易性および意匠性を保持しつつ二つのリング部材が分離してずれたり隙間ができたりすることのない電子機器を提供する。【解決手段】略箱状の筐体を構成する第１筐体部材２３と第２筐体部材２４との間には、境界に沿って第１パネル３０と第２パネル４０とが、積層方向に沿って配列される。第１パネル３０は、第１壁部２３１および第１支持面２３２に接触するとともに、第１壁部２３１に対して第１係合部２３３、３１により凹凸係合する。【選択図】図４
2012231297.tif 000002
【特許請求の範囲】
【請求項１】
第１筐体部材および第２筐体部材により略箱状に形成された筐体と、
前記筐体における前記第１筐体部材および前記第２筐体部材間の境界に沿い、かつ、前記第１筐体部材および前記第２筐体部材の積層方向に沿って配列される第１パネルおよび第２パネルと、を備え、
前記第１筐体部材が、前記筐体の外側を向く第１壁部と、前記第１壁部に対して交差するとともに前記第２筐体部材側を向く第１支持面とを備え、
前記第２筐体部材が、前記第１壁部の一部を覆う第２壁部と、前記第２壁部の先端に設けられて前記第１支持面と対面する第２支持面とを備え、
前記第１パネルが、前記第１壁部および前記第１支持面に接触するとともに、前記第１壁部に対して第１係合部により凹凸係合し、
前記第２パネルが、前記第１壁部、前記第２支持面および前記第１パネルに接触するとともに、前記第１壁部に対して第２係合部により凹凸係合し、かつ、前記第１パネルに対して第３係合部により凹凸係合する電子機器。
【請求項２】
請求項１に記載の電子機器において、
前記第１係合部および前記第２係合部が、前記第１筐体部材および前記第２筐体部材間の境界に沿って異なる位置に設けられている電子機器。
【請求項３】
請求項１または請求項２に記載の電子機器において、
前記第１係合部および前記第２係合部をそれぞれ複数有し、
前記各第１係合部および前記各第２係合部が、前記第１筐体部材および前記第２筐体部材間の境界に沿って異なる位置に設けられている電子機器。
【請求項４】
請求項１ないし請求項３のうちのいずれか１項に記載の電子機器において、
前記第１パネルおよび前記第２パネルのうちの少なくとも一方が、前記第１筐体部材および前記第２筐体部材間の境界に沿って前記筐体を周回する環状である電子機器。
【発明の詳細な説明】
【技術分野】
【０００１】
本発明は、筐体を構成する二つの部分の間に二重の介装部材を有する電子機器に関するものである。
【背景技術】
【０００２】
従来より、携帯電話において、筐体を構成する二つの部分の間に側面パネルを有するものが提案されている（例えば、特許文献１参照）。
図１０に示すように、携帯電話１００は、第１筐体１０１と第２筐体１０２とから構成される。第１筐体１０１は、ディスプレイパネル１０４を備える。第１筐体１０１と第２筐体１０２との間の筐体側面には、意匠性の観点から、側面パネル１０３を有する。
【先行技術文献】
【特許文献】
【０００３】
【特許文献１】意匠登録第１４０５０１７号公報
【発明の概要】
【発明が解決しようとする課題】
【０００４】
しかしながら、前述した携帯電話１００においては、側面パネル１０３を有するが、この側面パネル１０３の取り付け方や取り付け構造については開示されていない。また、第１筐体と第２筐体との間の筐体側面に環状の部品を有する場合については開示されていない。また、二重の側面パネルや二重の環状の部品を有する場合については開示されていない。
【０００５】
本発明は、第１筐体部材と第２筐体部材間との境界に沿った部品を有する電子機器、特に、第１筐体部材と第２筐体部材間との境界に沿い、かつ、第１筐体部材および第２筐体部材の積層方向に沿って配列される第１部品と第２部品とを有する電子機器を提供することを目的とする。
【課題を解決するための手段】
【０００６】
本発明の電子機器は、第１筐体部材および第２筐体部材により略箱状に形成された筐体と、前記筐体における前記第１筐体部材および前記第２筐体部材間の境界に沿い、かつ、前記第１筐体部材および前記第２筐体部材の積層方向に沿って配列される第１パネルおよび第２パネルと、を備え、前記第１筐体部材が、前記筐体の外側を向く第１壁部と、前記第１壁部に対して交差するとともに前記第２筐体部材側を向く第１支持面とを備え、前記第２筐体部材が、前記第１壁部の一部を覆う第２壁部と、前記第２壁部の先端に設けられて前記第１支持面と対面する第２支持面とを備え、前記第１パネルが、前記第１壁部および前記第１支持面に接触するとともに、前記第１壁部に対して第１係合部により凹凸係合し、前記第２パネルが、前記第１壁部、前記第２支持面および前記第１パネルに接触するとともに、前記第１壁部に対して第２係合部により凹凸係合し、かつ、前記第１パネルに対して第３係合部により凹凸係合するものである。
【０００７】
また、本発明の電子機器は、前記第１係合部および前記第２係合部が、前記第１筐体部材および前記第２筐体部材間の境界に沿って異なる位置に設けられているものである。
【０００８】
また、本発明の電子機器は、前記第１係合部および前記第２係合部をそれぞれ複数有し、前記各第１係合部および前記各第２係合部が、前記第１筐体部材および前記第２筐体部材間の境界に沿って異なる位置に設けられているものである。
【０００９】
さらに、本発明の電子機器は、前記第１パネルおよび前記第２パネルのうちの少なくとも一方が、前記第１筐体部材および前記第２筐体部材間の境界に沿って前記筐体を周回する環状であるものである。
【発明の効果】
【００１０】
本発明は、略箱状の筐体を構成する第１筐体部材と第２筐体部材との間に、境界に沿って第１パネルと第２パネルとが、積層方向に沿って配列される。第１パネルは、外側を向いた第１壁部および第２筐体部材側を向いた第１支持面に接触するとともに、第１壁部に対して第１係合部により凹凸係合する。これにより、第１パネルは第１筐体部材に対して、積層方向の移動を規制できる。また、第２パネルは、第１壁部、第１支持面と対面する第２支持面および第１パネルに接触するので、第２筐体部材と第１パネルとの間に挟まれて、積層方向の移動が規制される。同時に、第１壁部に対して第２係合部により凹凸係合するので、第２パネルが第１壁部から離れる方向に移動するのを規制できる。さらに、第１パネルに対して第３係合部により凹凸係合するので、第１パネルおよび第２パネルとの間の、相対的移動を規制できる。このため、組立容易性および意匠性を保持しつつ二つのリング部材が分離してずれたり隙間ができたりすることを防止できるという効果を有する電子機器を提供できる。
【図面の簡単な説明】
【００１１】
【図１】本発明に係る実施形態の携帯端末の斜視図
【図２】携帯端末の蓋部材を筐体から外して裏返した状態の斜視図
【図３】筐体の分解斜視図
【図４】各係合部の位置関係を示す説明図
【図５】図３中Ｖ−Ｖ位置であり図４中Ｖ−Ｖ位置の断面図
【図６】図４中ＶＩ−ＶＩ位置における図５相当の断面図
【図７】（Ａ）は図４中ＶＩＩ−ＶＩＩ位置における図５相当の断面図であり、（Ｂ）は（Ａ）中Ｂ−Ｂ位置の断面図
【図８】図４中ＶＩＩＩ−ＶＩＩＩ位置における図５相当の断面図
【図９】図４中ＩＸ−ＩＸ位置における図５相当の断面図
【図１０】従来の筐体を構成する二つの部分の間に二重の介装部材を有する携帯端末の斜視図
【発明を実施するための形態】
【００１２】
以下、本発明に係る実施形態の電子機器について、図面を用いて説明する。
図１に示すように、本発明に係る実施形態の電子機器としての携帯端末１０は、筐体２０と、筐体２０の裏面を覆う蓋部材１１を有する。筐体２０および蓋部材１１は、略同じ平面寸法の矩形状を有しており、互いに相手を覆うようになっている。
すなわち、図２に示すように、略箱状の筐体２０に設けられている電池パック２１は蓋部材１１により覆われ、筐体２０に設けられているカメラユニット２２は、蓋部材１１に設けられているカメラ用開口部１２から露出するようになっている。
【００１３】
図２および図３に示すように、筐体２０は、第１筐体部材であるカバー２３および第２筐体部材であるケース２４により略箱状に形成される。カバー２３とケース２４との間には、第１パネル３０および第２パネル４０が、カバー２３およびケース２４の積層方向（図２および図３において上下方向）に配列されて設けられている。
第１パネル３０および第２パネル４０の少なくとも一方（ここでは両方）は、カバー２３とケース２４との境界に沿って周回する環状となっている。
【００１４】
図４に示すように、カバー２３は、筐体２０の外側（図４において右側）を向く第１壁部２３１と、第１壁部２３１に対して交差するとともにケース２４側（上側）を向く第１支持面２３２と、を有する。
図４中Ｖ−Ｖで示す断面位置においては、図５にも示すように、第１壁部２３１に、第１係合部としての第１係合凹部２３３を有する。第１係合凹部２３３は全体矩形状の凹部であり、その下端部が、第１壁部２３１において第１支持面２３２の延長上にある。第１係合凹部２３３の上面は、略水平（第１支持面２３２と平行）な係止面２３３Ａとなっている。
【００１５】
また、図４中ＶＩ−ＶＩで示す断面位置においては、図６にも示すように、第１壁部２３１の途中高さ位置に第４係合凹部２３５が設けられている。第４係合凹部２３５は、略水平（第１支持面２３２と平行）の矩形状の凹部である。
【００１６】
図４中ＶＩＩ−ＶＩＩで示す断面位置においては、図７にも示すように、第１壁部２３１の上端部から下方へ向かって第２係合部を構成する第２係合凹部２３４が設けられている。第２係合凹部２３４は、第１壁部２３１の外側面２３１Ａに設けられている上下方向のスリット２３４Ａと、スリット２３４Ａに連続して第１壁部２３１の厚さ方向の略半分を幅広に切り欠いた係止凹部２３４Ｂを有する。
従って、第２係合凹部２３４は、断面Ｔ字形状を呈している。
【００１７】
また、図４中ＶＩＩＩ−ＶＩＩＩで示す断面位置においては、図８にも示すように、第１壁部２３１の上端面２３１Ｂから上方（ケース２４側）に向かって、カバー側係合部２５が設けられている。
カバー側係合部２５は、第１壁部２３１から上方に伸びる平板状の支持部２５１と、支持部２５１の上端部において外側へ突出するとともに上方へ尖った係合突起２５２を有する。係合突起２５２の下面には、略水平な係止面２５３を有する。
【００１８】
図４および図５に示すように、ケース２４は、カバー２３の第１壁部２３１の一部を覆う第２壁部２４１と、この第２壁部２４１の先端（図４において下端）に設けられてカバー２３の第１支持面２３２と対面する第２支持面２４２を有する。
図４および図８に示すように、第２壁部２４１の下端部には、カバー側係合部２５と相互に係合するケース側係合部２６が設けられている。ケース側係合部２６は、下部には下方に向けて尖る傾斜面２６１を有し、上端部には、カバー側係合部２５の係止面２５３と相互に係止する係止面２６２を有する。
従って、カバー２３とケース２４とを押し付けることにより、カバー側係合部２５およびケース側係合部２６は互いに相手を乗り越えて、係止面２５３、２６２同士が係止し合う。
【００１９】
図４および図５に示すように、第１パネル３０は、カバー２３の第１壁部２３１および第１支持面２３２に接触するとともに、第１係合部としての第１係合凸部３１により第１壁部２３１の第１係合凹部２３３に対して凹凸係合する。第１係合凸部３１は、下方に尖った断面形状を有し、上端に水平な係止面３１１を有する。
従って、第１パネル３０の第１係合凸部３１とカバー２３の第１係合凹部２３３とを相互に係合させると、係止面３１１と係止面２３３Ａとが互いに係止し合い、第１パネル３０のカバー２３に対する相対的上下移動を規制する。
【００２０】
また、図４中ＩＸ−ＩＸで示す断面位置においては、図４および図９に示すように、第１パネル３０の上面における第１壁部２３１側の端部には、上方へ突出する矩形板状の一対の第３係合凸部３２、３２が設けられている。
【００２１】
図４および図５に示すように、第２パネル４０は、カバー２３の第１壁部２３１、ケース２４の第２支持面２４２および第１パネル３０に接触する。
同時に、図７に示すように、第２パネル４０は、第１壁部２３１に対向する内面に、第１壁部２３１の第２係合凹部２３４に凹凸係合すべく第１壁部２３１側へ突出する第２係合部を構成する第２係合凸部４１を有する。第２係合凸部４１は、第２係合凹部２３４の断面形状に対応しており、第２パネル４０からカバー２３の第１壁部２３１側に向かって突出する脚部４１１と、脚部４１１の先端に直角に設けられている係止部４１２とから、断面Ｔ字形状となっている。
【００２２】
従って、全体Ｔ字形状の第２パネル４０の第２係合凸部４１を、カバー２３の第１壁部２３１に設けられている第２係合凹部２３４に、上方から下方へ挿入すると、第２係合凸部４１の脚部４１１が、第２係合凹部２３４のスリット２３４Ａに挿入される。そして、第２係合凸部４１の係止部４１２が、第２係合凹部２３４の係止凹部２３４Ｂに嵌入される。
これにより、第２係合凸部４１は第１壁部２３１に対して筐体２０の外側への移動を規制されるので、第２パネル４０が外側へ変形して、第１壁部２３１との間に隙間が生じるのを阻止する。
【００２３】
また、図４および図９に示すように、第２パネル４０の第１壁部２３１に対向する内面の第２係合凸部４１を挟んで長手方向両側に、一対の第３係合凹部４２、４２が凹設されている。
従って、第１パネル３０の第３係合凸部３２、３２を、第２パネル４０の第３係合凹部４２、４２に挿入して係合すると、第１パネル３０に対する第２パネル４０の筐体２０の外側への相対的な水平方向移動を規制する。
【００２４】
上述したように、第１係合部（第１係合凸部３１、第１係合凹部２３３）、第２係合部（第２係合凸部４１、第２係合凹部２３４）、第３係合部（第３係合凸部３２、第３係合凹部４２）は、カバー２３およびケース２４の間の境界に沿って異なる位置に設けられる。
また、第４係合部（第４係合凹部２３５、第４係合凸部４３）、カバー側係合部２５およびケース側係合部２６も異なる位置に設けられる。
【００２５】
以上、説明した本発明に係る実施形態の携帯端末１０によれば、略箱状の筐体２０を構成するカバー２３とケース２４との間には、境界に沿って第１パネル３０と第２パネル４０とが、カバー２３とケース２４の積層方向に沿って配列される。
第１パネル３０は、カバー２３の外側を向いた第１壁部２３１および第１壁部２３１に対して交差するとともにケース２４側を向いた第１支持面２３２に接触するとともに、第１壁部２３１に対して第１係合部（第１係合凸部３１、第１係合凹部２３３）により凹凸係合する。これにより、第１パネル３０はカバー２３に対して、積層方向の移動を規制できる。
【００２６】
また、第２パネル４０は、第１壁部２３１、第１壁部２３１の一部を覆う第２壁部２４１の先端に設けられて第１支持面２３２と対面する第２支持面２４２および第１パネル３０に接触するので、第２パネル４０はケース２４と第１パネル３０との間に挟まれる。このため、第２パネル４０の積層方向の移動が規制される。同時に、第１壁部２３１に対して第２係合部（第２係合凸部４１、第２係合凹部２３４）により凹凸係合するので、第２パネル４０が第１壁部２３１から離れる方向に移動するのを規制できる。さらに、第１パネル３０に対して第３係合部（第３係合凸部３２、第３係合凹部４２）により凹凸係合するので、第１パネル３０および第２パネル４０との間の、第１壁部２３１から離れる方向の相対的移動を規制することができる。
【００２７】
また、第１係合部（第１係合凸部３１、第１係合凹部２３３）、第２係合部（第２係合凸部４１、第２係合凹部２３４）、第３係合部（第３係合凸部３２、第３係合凹部４２）を、外側から見えない位置に設けるのが望ましい。これにより、意匠性を保持しつつ第１パネル３０と第２パネル４０とが分離してずれたり隙間ができたりするのを防止できる。
【００２８】
また、第１係合部（第１係合凸部３１、第１係合凹部２３３）および第２係合部（第２係合凸部４１、第２係合凹部２３４）が、カバー２３およびケース２４間の境界に沿って異なる位置に設けられている。
これにより、誤組を防止するとともに、組立性を改善できる。
【００２９】
また、第１係合部（第１係合凸部３１、第１係合凹部２３３）および第２係合部（第２係合凸部４１、第２係合凹部２３４）が、カバー２３およびケース２４間の境界に沿って異なる位置に複数個設けられている。
これにより、誤組を防止するとともに、組立性を改善できる。
【００３０】
さらに、第１パネル３０および第２パネル４０のうちの少なくとも一方が、カバー２３およびケース２４間の境界に沿って筐体２０を周回する環状である。
このため、第１パネル３０および第２パネル４０のうちの少なくとも一方は、筐体２０に組み付けやすく、外れにくい。これに伴って、他方も組み付けやすくなる。
【００３１】
なお、本発明に係る電子機器は、前述した実施形態に限定されるものでなく、適宜な変形，改良等が可能である。
例えば、前述した実施形態においては、パネルが第１パネル３０および第２パネル４０の２段の場合を例示したが、３段以上にも適用可能である。
また、第１係合部を構成する第１係合凸部３１および第１係合凹部２３３、第２係合部を構成する第２係合凸部４１および第２係合凹部２３４は、カバー２３およびケース２４の間の境界に沿って、複数個ずつ設けるのが望ましい。
【産業上の利用可能性】
【００３２】
以上のように、本発明にかかる電子機器では、略箱状の筐体を構成する第１筐体部材と第２筐体部材との間に、境界に沿って第１パネルと第２パネルとが、積層方向に沿って配列される。第１パネルは、外側を向いた第１壁部および第２筐体側を向いた第１支持面に接触するとともに、第１壁部に対して第１係合部により凹凸係合する。これにより、第１パネルは第１筐体部材に対して、積層方向の移動を規制できる。また、第２パネルは、第１壁部、第１支持面と対面する第２支持面および第１パネルに接触するので、第２筐体部材と第１パネルとの間に挟まれて、積層方向の移動が規制される。同時に、第１壁部に対して第２係合部により第２パネルを凹凸係合するので、第２パネルが第１壁部から離れる方向に移動するのを規制できる。さらに、第２パネルは、第１パネルに対して第３係合部により凹凸係合するので、第１パネルおよび第２パネルとの間の、相対的移動を規制できるという効果を有し、筐体を構成する二つの部分の間に二重の介装部材を有する電子機器等として有用である。
【符号の説明】
【００３３】
１０  携帯端末（電子機器）
２０  筐体
２３  カバー（第１筐体部材）
２３１  第１壁部
２３２  第１支持面
２３３  第１係合凹部（第１係合部）
２３４  第２係合凹部（第２係合部）
２４  ケース（第２筐体部材）
２４１  第２壁部
２４２  第２支持面
３０  第１パネル
３１  第１係合凸部（第１係合部）
３２  第３係合凸部（第３係合部）
４０  第２パネル
４１  第２係合凸部（第２係合部）
４２  第３係合凹部（第３係合部）
【図１】
2012231297.tif 000003
【図２】
2012231297.tif 000004
【図３】
2012231297.tif 000005
【図４】
2012231297.tif 000006
【図５】
2012231297.tif 000007
【図６】
2012231297.tif 000008
【図７】
2012231297.tif 000009
【図８】
2012231297.tif 000010
【図９】
2012231297.tif 000011
【図１０】
2012231297.tif 000012